(57)【要約】【課題】  熱中症などのスポーツ事故を確実に防止する。【解決手段】  携帯端末装置１０は、ＧＰＳ受信器１２からユーザの現在地点データを入力して監視装置３０へ送信する。各環境温度観測装置２０は、それが設置された地点におけるＷＢＧＴデータをＷＢＧＴセンサ２４から入力して監視装置３０へ送信する。監視装置３０は、携帯端末装置１０から現在地点データを受信するとともに環境温度観測装置２０からＷＢＧＴデータを受信し、ユーザの現在地点に最も近い地点のＷＢＧＴに基づき警告データを送信するか否かを判断する。例えば、現在地点に最も近い地点のＷＢＧＴが所定値以上であれば、監視装置３０は運動が危険である旨の警告データを携帯端末装置１０へ送信する。すると、携帯端末装置１０は、その警告データを画像や音を使ってユーザへ報知する。これにより、ユーザは運動を適切に中止することができる。【選択図】  図１
2005334021.tif 000002
【特許請求の範囲】
【請求項１】
ユーザに所持されＧＰＳ受信器を有する携帯端末装置と、複数の地点に設置され環境温度センサを有する複数の環境温度観測装置と、監視センタに設置された監視装置とが、通信回線を介して接続され、
前記携帯端末装置は、前記ＧＰＳ受信器から現在地点データを入力し、この現在地点データを前記監視装置へ送信する機能と、前記監視装置から警告データを受信し、この警告データを前記ユーザへ報知する機能とを備え、
前記各環境温度観測装置は、当該環境温度観測装置が設置された地点における環境温度データを前記環境温度センサから入力し、この環境温度データを前記監視装置へ送信する機能を備え、
前記監視装置は、前記携帯端末装置から前記現在地点データを受信するとともに前記環境温度観測装置から前記環境温度データを受信する機能と、前記現在地点データの示す現在地点に最も近い地点の前記環境温度観測装置を検索し、この環境温度観測装置の前記環境温度データの示す環境温度に基づき警告データを送信するか否かを判断する機能と、前記警告データを前記携帯端末装置へ送信する機能とを備えた、
スポーツ事故防止システム。
【請求項２】
前記携帯端末装置は、前記ユーザの生体データを取得する生体センサを更に有し、この生体データを前記現在地点データとともに前記監視装置へ送信する機能を更に備え、
前記監視装置は、前記携帯端末装置から前記生体データを受信する機能と、この生体データに基づき警告データを送信するか否かを判断する機能とを更に備えた、
請求項１記載のスポーツ事故防止システム。
【請求項３】
前記生体センサは、前記ユーザの体温を測定する体温センサ、前記ユーザの血圧を測定する血圧センサ、前記ユーザの脈拍を測定する脈拍センサ、及び前記ユーザの体水分を測定する体水分センサの少なくとも一つである、
請求項２記載のスポーツ事故防止システム。
【請求項４】
前記監視装置は、前記警告データを前記携帯端末装置へ送信した後に、引き続き前記携帯端末装置から前記生体データを受信し、この生体データに好転が認められなければ前記通信回線を介して救急救命センタ又は緊急時連絡先へ連絡する機能を更に備えた、
請求項１乃至３のいずれかに記載のスポーツ事故防止システム。
【請求項５】
前記監視装置は、前記救急救命センタ又は緊急時連絡先へ連絡する際に、前記ユーザについて予め登録されたデータ及び取得された生体データを送信する機能を更に備えた、
請求項４記載のスポーツ事故防止システム。
【請求項６】
前記環境温度データが湿球黒球温度データである、
請求項１乃至５のいずれかに記載のスポーツ事故防止システム。
【発明の詳細な説明】
【技術分野】
【０００１】
本発明は、熱中症などのスポーツ事故を未然に防止するためのスポーツ事故防止システムに関する。
【背景技術】
【０００２】
下記特許文献１には、外出中に身体状態を監視し、異常状態になると自動的に報知する、携帯型身体異常報知装置が開示されている。この携帯型身体異常報知装置は、腕時計状をしており、時計本体対応部に、血圧、脈拍、体温測定手段、ＧＰＳ受信機などが内蔵されている。そして、周期的にこれらを測定し、基準値と比較し、身体異常であれば、表示器、ブザーで警告する。これに対して応答がなければ、消防署へ位置情報、測定情報を自動的に無線電話発信する。応答があれば、自宅へ位置情報、測定情報を自動発信する。
【０００３】
ところで、近年、アウトドアスポーツが盛んになるとともに、それに伴う事故が急増している。事故の多くは、初心者の知識不足及び準備不足、体力を越えた運動量、過酷な環境への不適応などが原因である。酷暑の中での熱中症、寒冷地、高所及びウォータースポーツでの低体温症、飲酒や疲労から起こる事故などの多くは、自身の健康状態が急激に悪化していることに気づかないため、次第に意識が遠ざかり、最悪の場合は死に至る危険がある。
【０００４】
【特許文献１】特開平１１−２０６７２１号公報
【発明の開示】
【発明が解決しようとする課題】
【０００５】
ここで、このようなスポーツ事故を未然に防ぐためのスポーツ事故防止装置として、特許文献１の携帯型身体異常報知装置を用いることを考えてみる。しかしながら、この場合は次のような問題が生じる。
【０００６】
血圧、脈拍、体温等の生体情報だけでは、運動の続行又は中止を判断できない。例えば、血圧、脈拍、体温等が高くても外気温が低ければ、運動を続行できることがある。逆に、血圧、脈拍、体温等がそれほど高くなくても外気温が高ければ、運動を中止しなければならないことがある。つまり、スポーツ事故防止装置として特許文献１の携帯型身体異常報知装置を用いると、運動を中止しなければならないときに続行してしまい、そのために危険な状態に陥ることが起こり得る。
【０００７】
そこで、本発明の目的は、確実にスポーツ事故を防止できるスポーツ事故防止装置を提供することにある。
【課題を解決するための手段】
【０００８】
本発明に係るスポーツ事故防止システムは、ユーザに所持されＧＰＳ受信器を有する携帯端末装置と、複数の地点に設置され環境温度センサを有する複数の環境温度観測装置と、監視センタに設置された監視装置とが、通信回線を介して接続されたものである。そして、前記携帯端末装置は、前記ＧＰＳ受信器から現在地点データを入力し、この現在地点データを前記監視装置へ送信する機能と、前記監視装置から警告データを受信し、この警告データを前記ユーザへ報知する機能とを備えている。前記各環境温度観測装置は、当該環境温度観測装置が設置された地点における環境温度データを前記環境温度センサから入力し、この環境温度データを前記監視装置へ送信する機能を備えている。前記監視装置は、前記携帯端末装置から前記現在地点データを受信するとともに前記環境温度観測装置から前記環境温度データを受信する機能と、前記現在地点データの示す現在地点に最も近い地点の前記環境温度観測装置を検索し、この環境温度観測装置の前記環境温度データの示す環境温度に基づき警告データを送信するか否かを判断する機能と、前記警告データを前記携帯端末装置へ送信する機能とを備えている。
【０００９】
携帯端末装置は、ＧＰＳ受信器からユーザの現在地点データを入力し、この現在地点データを監視装置へ送信する。各環境温度観測装置は、その環境温度観測装置が設置された地点における環境温度データを環境温度センサから入力し、この環境温度データを監視装置へ送信する。監視装置は、携帯端末装置から現在地点データを受信するとともに環境温度観測装置から環境温度データを受信し、ユーザの現在地点に最も近い地点の環境温度に基づき警告データを送信するか否かを判断する。例えば、現在地点に最も近い地点の環境温度が所定値以上であれば、監視装置は運動が危険である旨の警告データを携帯端末装置へ送信する。すると、携帯端末装置は、その警告データを画像や音を使ってユーザへ報知する。これにより、ユーザは運動を中止することができるので、熱中症などのスポーツ事故が未然に防止できる。なお、ユーザの現在地点に最も近い環境温度観測装置を検索するには、例えば、ユーザの現在地点から各環境温度観測装置の設置地点までの距離を算出し、その距離が最も短いものを選べばよい。
【００１０】
また、環境温度の指標としては、気温、湿度、輻射熱などが用いられるが、特に熱中症予防のためには湿球黒球温度（ＷＢＧＴ：Wet-Bulb Globe Temperature）が有効である。湿球黒球温度は、人体の熱収支に関る環境因子（気温、湿度、輻射熱、気流）のうち、特に影響の大きい気温、湿度、輻射熱を取り入れた指標であり、次式によって算出される。
【００１１】
屋外で日射のある場合
ＷＢＧＴ＝０．７×湿球温度＋０．２×黒球温度＋０．１×乾球温度
屋内で日射のない場合
ＷＢＧＴ＝０．７×湿球温度＋０．３×黒球温度
ここで、乾球温度とは、温度センサの感温部に何も施さない場合の温度であり、気温そのものである。湿球温度は、温度センサの感温部を布などで湿らせた場合の温度であり、湿度の影響を示す。黒球温度は、温度センサの感温部を黒い中空球体で覆った場合の温度であり、輻射熱の影響を示す。
【００１２】
前記携帯端末装置は、前記ユーザの生体データを取得する生体センサを更に有し、この生体データを前記現在地点データとともに前記監視装置へ送信する機能を更に備え、前記監視装置は、前記携帯端末装置から前記生体データを受信する機能と、この生体データに基づき警告データを送信するか否かを判断する機能とを更に備えた、としてもよい。このとき、前記生体センサは、前記ユーザの体温を測定する体温センサ、前記ユーザの血圧を測定する血圧センサ、前記ユーザの脈拍を測定する脈拍センサ、及び前記ユーザの体水分を測定する体水分センサの少なくとも一つである、としてもよい。
【００１３】
前記監視装置は、前記警告データを前記携帯端末装置へ送信した後に、引き続き前記携帯端末装置から前記生体データを受信し、この生体データに好転が認められなければ前記通信回線を介して救急救命センタ又は緊急時連絡先へ連絡する機能を更に備えた、としてもよい。このとき、前記監視装置は、前記救急救命センタ又は緊急時連絡先へ連絡する際に、前記ユーザについて予め登録されたデータ及び取得された生体データを送信する機能を更に備えた、としてもよい。
【００１４】
換言すると、本発明は、腕時計型の携帯端末装置に内蔵されているＧＰＳ受信器と生体センサとを用いて、現在地や体温、血圧、脈拍及び体水分率を測定し、これらのデータを監視センタへインターネットを使って送信し、監視センタで算出された各データを携帯端末装置に表示するものである。
【００１５】
監視センタでは、現在地を特定し、各データをモニタし、体調に異常をきたすデータを検出する。その後も同じ状態で放置、更に体温、血圧及び脈拍が正常値に戻らない場合、携帯端末装置でアラームが鳴る。その時点でアラームを解除しなければ、携帯端末装置から救助を伝える音声が鳴り、更に緊急連絡先に異常を知らせ、最寄りの救急救命センタへ自動的に現在地、ユーザ情報、健康状態等のデータが送信される。これにより、アウトドアでのスポーツ時における体調変化による事故を、未然に防ぐことができる。
【発明の効果】
【００１６】
本発明によれば、携帯端末装置から現在地点データを受信するとともに環境温度観測装置から環境温度データを受信し、ユーザの現在地点に最も近い地点の環境温度に基づき警告データを送信する監視装置を備えたことにより、ユーザは現在地点の環境温度に応じて運動を中止することができるので、熱中症などのスポーツ事故を確実に防止できる。
【００１７】
換言すると、本発明によれば、熱中症のようなスポーツ事故を未然に防ぐため、最低限の健康状態を絶えずモニタでき、異常の場合も初期の段階で危険を通報できる。
【発明を実施するための最良の形態】
【００１８】
図１は、本発明に係るスポーツ事故防止システムの一実施形態を示すブロック図である。以下、この図面に基づき説明する。
【００１９】
本実施形態のスポーツ事故防止システム１００は、ユーザに所持されＧＰＳ受信器１２を有する携帯端末装置１０と、複数の地点に設置されＷＢＧＴセンサ２４を有する複数の環境温度観測装置２０と、監視センタに設置された監視装置３０とが、インターネット４０を介して接続されている。
【００２０】
携帯端末装置１０は、腕時計状の外観を呈し、ユーザの手首に装着され、ＧＰＳ受信器１２の他に、携帯端末本体１１、ユーザの体温を測定する温度センサ１３、ユーザの血圧を測定する圧力センサ１４、ユーザの脈拍を測定する脈拍センサ１５、ユーザの体水分を測定する電気抵抗センサ１６等のハードウェアを有する。携帯端末本体１１は、図示しないが、一般の携帯電話機と同じように、インターネット接続用の無線式の送受信器、コンピュータ等を内蔵している。
【００２１】
また、携帯端末装置１０は、次の主要な機能を有する。これらの機能は、携帯端末本体１１に内蔵されたコンピュータに、プログラムによって実現されている。(1).ＧＰＳ受信器１２、温度センサ１３、圧力センサ１４、脈拍センサ１５及び電気抵抗センサ１６から、現在地点データ及び各生体データを入力する機能。(2).入力した現在地点データ及び各生体データを、監視装置３０へ送信する機能。(3).監視装置３０から警告データを受信し、この警告データをユーザへ報知する機能。
【００２２】
環境温度観測装置２０は、例えば日本全国に設置され、ＷＢＧＴセンサ２４の他に、図示しないが、インターネット接続用の送受信器、コンピュータ等を内蔵している。ＷＢＧＴセンサ２４は、乾球温度センサ２１、湿球温度センサ２２及び黒球温度センサ２３からなる。
【００２３】
また、環境温度観測装置３０は、環境温度観測装置３０が設置された地点におけるＷＢＧＴデータをＷＢＧＴセンサ２４から入力し、このＷＢＧＴデータを監視装置３０へ送信する機能を有する。この機能は、環境温度観測装置３０に内蔵されたコンピュータに、プログラムによって実現されている。
【００２４】
監視装置３０は、図示しないが、インターネット接続用及び電話回線接続用の送受信器、コンピュータ等を内蔵している。また、監視装置３０は、インターネット４０を介して携帯端末装置１０及び環境温度観測装置２０に常時接続されている他、必要に応じてユーザの現在位置に最寄りの救急救命センタ５０にインターネット４０を介して接続でき、また必要に応じてユーザの緊急連絡先６０に電話回線７０を介して接続できるようになっている。
【００２５】
また、監視装置３０は、次の主要な機能を有する。これらの機能は、監視装置３０に内蔵されたコンピュータに、プログラムによって実現されている。(1).携帯端末装置１０から現在地点データ及び各生体データを受信するとともに、環境温度観測装置２０からＷＢＧＴデータを受信する機能。(2).現在地点データの示すユーザの現在地点に最も近い地点の環境温度観測装置２０を検索し、この環境温度観測装置２０のＷＢＧＴデータの示すＷＢＧＴに基づき警告データを送信するか否かを判断する機能。(3).生体データに基づき警告データを送信するか否かを判断する機能。(4).警告データを前記携帯端末装置へ送信する機能。(5).警告データを携帯端末装置１０へ送信した後に、引き続き携帯端末装置１０から生体データを受信し、この生体データに好転が認められなければ救急救命センタ５０又は緊急時連絡先６０へ連絡する機能。(6).救急救命センタ５０又は緊急時連絡先６０へ連絡する際に、ユーザについて予め登録されたデータ及び取得された生体データを送信する機能。
【００２６】
次に、スポーツ事故防止システム１００の主な作用について説明する。携帯端末装置１０は、ＧＰＳ受信器１２からユーザの現在地点データを入力し、この現在地点データを監視装置３０へ送信する。各環境温度観測装置２０は、その環境温度観測装置３０が設置された地点におけるＷＢＧＴデータをＷＢＧＴセンサ２４から入力し、このＷＢＧＴデータを監視装置３０へ送信する。監視装置３０は、携帯端末装置１０から現在地点データを受信するとともに環境温度観測装置２０からＷＢＧＴデータを受信し、ユーザの現在地点に最も近い地点のＷＢＧＴに基づき警告データを送信するか否かを判断する。例えば、現在地点に最も近い地点のＷＢＧＴが所定値以上であれば、監視装置３０は運動が危険である旨の警告データを携帯端末装置１０へ送信する。すると、携帯端末装置１０は、その警告データを画像や音を使ってユーザへ報知する。これにより、ユーザは運動を中止することができるので、熱中症などのスポーツ事故が未然に防止できる。
【００２７】
図２乃至図８は携帯端末装置１０の表示画面例を示す平面図であり、図９及び図１０はスポーツ事故防止システム１００で用いられるデータに関する図表である。以下、図１乃至図１０に基づき、本実施形態について更に詳しく説明する。
【００２８】
携帯端末装置１０は、ＧＰＳ受信器１２、温度センサ１３、圧力センサ１４、脈拍センサ１５及び電気抵抗センサ１６を内蔵している。ＧＰＳ受信器１２はユーザの現在地点を測位する。温度センサ１３は体温を測定する。圧力センサ１４は血圧を測定する。脈拍センサ１５は脈拍を測定する。電気抵抗センサ１６は、体水分量を計算するために、電気が体を通電する際に発生する周波数を測定する。携帯端末装置１０は、監視装置３０にインターネット４０を介して接続し、各センサが測定した値及びＧＰＳ受信器１２から得られた測位を送信する。図１では、携帯端末装置１０から監視装置３０へ送信されるデータを、測定値ａとして表している。
【００２９】
監視装置３０には、ユーザ情報（図９［１］）とアラーム設定（図２乃至図６）とが予め登録される。アラーム設定条件は、ユーザの年齢及び健康状態に基づいて医師が設定するものであり、ユーザの環境及び体調の測定結果がこのまま継続又はこれ以上悪化すると危険になる値及びその継続時間である。監視装置３０は、ＷＢＧＴを得るために、全国の環境温度観測装置２０にインターネット４０を介して接続している。図１では、環境温度観測装置２０から監視装置３０へ送信されるデータを、測定値ｂとして表している。
【００３０】
監視装置３０は、携帯端末装置１０から送信されたＧＰＳ受信器１２の測位データに基づき、最寄りの環境温度観測装置２０を選択する。監視装置３０は、受信した測定値ａに基づき計算された結果（図９［２］）と、ＧＰＳ受信器１２の測位データに基づき特定された現在地周辺地図とを、携帯端末装置１０に返信する。図１では、監視装置３０から携帯端末装置１０へ送信されるデータを、演算結果ｃとして表している。
【００３１】
携帯端末装置１０では、受信したデータを携帯端末装置１０のモニタに表示する（図７）。一方、監視装置３０は、測定された結果（図９［２］）の値がアラーム設定を超え更に設定時間以上改善されなかった場合には、救助を依頼するためにユーザ情報（図９［１］）、測位及び測定値（図９［２］）を救急救命センタ５０へ送信する。このとき、監視装置３０は、携帯端末装置１０から送信されたＧＰＳ受信器１２の測位データに基づき、最寄りの救急救命センタ５０を選択する。これ同時に、監視装置３０は、電話回線７０を介してユーザ情報の緊急連絡先６０に接続し、電子音声によって用件を伝える。図１では、監視装置３０から救急救命センタ５０及び緊急連絡先６０へ送信されるデータを、緊急時データｄとして表している。
【００３２】
図１１は、スポーツ事故防止システム１００の動作を示すフローチャートである。以下、図１乃至図１１に基づき、スポーツ事故防止システム１００の動作を説明する。
【００３３】
ユーザ情報（図９［１］）及びアラーム設定条件（図２乃至図６）が、初期設定として監視装置３０に登録される（ステップ１０１）。アラーム設定条件は、ユーザの年齢及び健康状態に基づき医師によって決定され、ユーザの環境及び体調の測定結果がこのまま継続又はこれ以上悪化すると危険になる値及びその継続時間である。これにより、ユーザが携帯端末装置１０を使用することが可能となる。
【００３４】
続いて、ユーザが携帯端末装置１０を手首に装着して使用を開始する。まず、携帯端末装置１０がインターネット４０を介して監視装置３０に接続し、ＧＰＳ受信器１２が現在地の測位を開始し、そのデータを携帯端末装置１０が監視装置３０へ常時送信する（ステップ１０２）。監視装置３０は、測位から現在地を特定し、携帯端末装置１０に現在地周辺地図を常時返信する（ステップ１０４）。これと同時に、監視装置３０は、特定した現在地に一番近い環境温度観測装置３０にインターネット４０を介して接続し、環境温度観測装置３０からＷＢＧＴを受信する（ステップ１０３）。
【００３５】
一方、携帯端末装置１０では、常時、各センサがデータ測定を行なう。温度センサ１４は体温を測定する。圧力センサ１５は血圧を測定する。脈拍センサ１６は脈拍数を測定する。電気抵抗センサ１６は生体電気抵抗を測定する。測定された各データは携帯端末装置１０から監視装置３０へ送信される（ステップ１０２）。
【００３６】
監視装置３０は、環境温度観測装置２０から受信したＷＢＧＴ（図９［３］）と、測定値から算出した体温（図１０［１］：温度及び状態）、脈拍（図１０［２］：脈拍及び状態）、血圧（図１０［３］：血圧及び状態）及び体水分率（図１０［４］：体水分率及び状態）とを、携帯端末装置１０へ送信する（ステップ１０４）。携帯端末装置１０は、受信したデータ（図９［２］）をモニタに表示する（図７、ステップ１０５）。
【００３７】
監視装置３０は、常時送信されてくる測定データの変化を記録し、図２乃至図６に記載のアラームの設定時間を越えて異常値が確認されると、携帯端末装置１０へ警告を送信する（ステップ１０６，１０７）。携帯端末装置１０は、警告を受けモニタに警告を表示（図８）するとともにアラームを鳴動する（ステップ１０８）。ユーザが警告を確認し携帯端末装置１０でアラームクリアボタンを押下すると、警告は解除される。
【００３８】
しかし、ユーザがアラームを解除せず、又は解除しても異常値が改善されない場合（ステップ１０９）、監視装置３０は、図９［１］の緊急連絡先６０へ電話回線７０を介して電子音声によりユーザの異変を知らせ、更に、最寄りの救急救命センタ５０へ図９［１］のユーザ情報と図９［２］の測定結果とをインターネット４０を介して送信する（ステップ１１０）。
【産業上の利用可能性】
【００３９】
本発明は、便宜上「スポーツ事故防止…」と称したが、スポーツに限らず労働作業での事故防止や、老人や幼児などの体力的に弱い人の日常活動での事故防止にも利用できる。
【図面の簡単な説明】
【００４０】
【図１】本発明に係るスポーツ事故防止システムの一実施形態を示すブロック図である。
【図２】本実施形態における携帯端末装置のＷＢＧＴアラーム設定画面を示す平面図である。
【図３】本実施形態における携帯端末装置の体温アラーム設定画面を示す平面図である。
【図４】本実施形態における携帯端末装置の血圧アラーム設定画面を示す平面図である。
【図５】本実施形態における携帯端末装置の脈拍アラーム設定画面を示す平面図である。
【図６】本実施形態における携帯端末装置の体水分率アラーム設定画面を示す平面図である。
【図７】本実施形態における携帯端末装置のデータ表示画面を示す平面図である。
【図８】本実施形態における携帯端末装置の警告表示画面を示す平面図である。
【図９】本実施形態で用いられるデータに関する図表（その１）であり、図９［１］は登録ユーザ情報例、図９［２］は携帯端末モニタ表示例、図９［３］は周囲環境の設定データ例である。
【図１０】本実施形態で用いられるデータに関する図表（その２）であり、図１０［１］は体温の設定データ例、図１０［２］は脈拍の設定データ例、図１０［３］は血圧の設定データ例、図１０［４］は体水分量の表示例である。
【図１１】本実施形態の動作を示すフローチャートである。
【符号の説明】
【００４１】
１００  スポーツ事故防止システム
１０  携帯端末装置
１１  携帯端末本体
１２  ＧＰＳ受信器
１３  温度センサ（体温センサ）
１４  圧力センサ（血圧センサ）
１５  脈拍センサ
１６  電気抵抗センサ（体水分センサ）
２０  環境温度観測装置
２１  乾球温度センサ
２２  湿球温度センサ
２３  黒球温度センサ
２４  ＷＢＧＴセンサ（環境温度センサ）
３０  監視装置
４０  インターネット（通信回線）
５０  救急救命センタ
６０  緊急連絡先
７０  電話回線（通信回線）
【図１】
2005334021.tif 000003
【図２】
2005334021.tif 000004
【図３】
2005334021.tif 000005
【図４】
2005334021.tif 000006
【図５】
2005334021.tif 000007
【図６】
2005334021.tif 000008
【図７】
2005334021.tif 000009
【図８】
2005334021.tif 000010
【図９】
2005334021.tif 000011
【図１０】
2005334021.tif 000012
【図１１】
2005334021.tif 000013